(57)【特許請求の範囲】
【請求項１】
メニュー画面を表示する表示部と、注文する品および数量を入力するための入力部とを有する複数のオーダ用表示端末を備える注文システムであって、
１つのオーダ用表示端末から注文がなされた場合、当該注文において注文された品の数量である注文予定数量と、当該注文がなされたオーダ用表示端末から既に注文され、かつ未提供の品の数量である注文済未提供数量との合計である総未提供数量が所定値を超えないように注文数量を管理する注文数量管理手段を備えることを特徴とする注文システム。
【請求項２】
上記注文数量管理手段は、上記総未提供数量が上記所定値を超えた場合、上記注文において注文された品のうち、上記所定値を超えた数量分の注文を受け付けないことを特徴とする請求項１に記載の注文システム。
【請求項３】
上記注文数量管理手段は、上記総未提供数量が上記所定値を超えた場合、上記注文を受け付けないことを特徴とする請求項１に記載の注文システム。
【請求項４】
上記メニュー画面に注文可能数量を表示させる注文可能数量表示指示手段をさらに備えることを特徴とする請求項１〜３のいずれか１項に記載の注文システム。
【請求項５】
請求項１〜４のいずれか１項に記載の各手段としてコンピュータを動作させるプログラム。
【請求項６】
請求項５に記載のプログラムが記録されているコンピュータ読み取り可能な記録媒体。
【発明の詳細な説明】
【技術分野】
【０００１】
本発明は、商品の注文を管理するための注文システムに関し、特に、タッチパネル式の注文端末を設けた飲食店における注文システムに関するものである。
【０００２】
なお、本明細書において「提供」という用語は、注文された料理の調理が済んでから実際に客に料理が提供されるまでの間のいずれかを意味するものとする。
【背景技術】
【０００３】
従来から飲食店では、店員に対して口頭でメニューの注文を行う代わりに、テーブルや座席ごとにタッチパネル式のオーダ用表示端末を設け、オーダ用表示端末を操作することによりメニューの注文を行う方法が採用されている。
【０００４】
メニューの注文が行われると、基本的に先に注文された順に提供してメニューの提供を行う。このため特定のオーダ用表示端末から一度に多数の注文が行われると、厨房では、当該オーダ用表示端末から注文されたメニューの提供のみに専念せざるを得なくなり、いわゆる、特定のオーダ用表示端末からの注文による厨房の独占が生じる。この場合、他のオーダ用表示端末からメニューを注文しても提供が後回しになるため、他のオーダ用表示端末ではメニュー提供まで長時間待たされることになり、メニューの提供に不公平が生じることとなる。
【０００５】
これに対し、特許文献１では、特定のメニューに限って注文数量に制限を設けたり、一度に注文できるメニューの数量を制限したりして、注文時間に制限を加える構成が開示されている。
【特許文献１】特開２００５−０７８４７６号公報（２００５年３月２４日公開）
【発明の開示】
【発明が解決しようとする課題】
【０００６】
しかしながら、特許文献１のように、一度に注文できるメニューの数量を制限しても、注文を何度も繰り返せば多数の注文を行うことができる。特定のメニューに対して注文を制限したり、注文時間を制限したりしても、同様に１つのオーダ用表示端末からの多数の注文が可能である。このため、特定のオーダ用表示端末からの注文による厨房の独占を防止することができない。
【０００７】
本発明は、上記の問題点に鑑みてなされたものであり、その目的は、特定のオーダ用表示端末からの多数の注文を有効に防止することができる注文システムを実現することにある。
【課題を解決するための手段】
【０００８】
本発明に係る注文システムは、上記課題を解決するために、メニュー画面を表示する表示部と、注文する品および数量を入力するための入力部とを有する複数のオーダ用表示端末を備える注文システムであって、１つのオーダ用表示端末から注文がなされた場合、当該注文において注文された品の数量である注文予定数量と、当該注文がなされたオーダ用表示端末から既に注文され、かつ未提供の品の数量である注文済未提供数量との合計である総未提供数量が所定値を超えないように注文数量を管理する注文数量管理手段を備えることを特徴としている。
【０００９】
上記の構成によれば、ユーザはオーダ用表示端末を操作することにより、所望の品を注文できる。ここで、注文システムは、１つのオーダ用表示端末から注文がなされた場合、当該注文において注文された品の数量である注文予定数量と、当該注文がなされたオーダ用表示端末から既に注文され、かつ未提供の品の数量である注文済未提供数量との合計である総未提供数量が所定値を超えないように注文数量を管理する注文数量管理手段を備えている。すなわち、あるオーダ用表示端末から新たな注文があった場合、当該新たな注文における注文数量に、そのオーダ用表示端末から既に注文された提供待ちの品の数量を加えた合計が、所定値以内となるように注文数量が制限される。
【００１０】
これにより、注文を行った直後に再度注文をしても、再度の注文においては、提供待ちの品の数量分だけ注文可能数量が減少するため、注文を繰り返すことによる多数の注文を防止することができる。したがって、特定のオーダ用表示端末からの多数の注文を有効に防止することができる注文システムを実現できるという効果を奏する。
【００１１】
本発明に係る注文システムでは、上記注文数量管理手段は、上記注文数量管理手段は、上記総未提供数量が上記所定値を超えた場合、上記注文において注文された品のうち、上記所定値を超えた数量分の注文を受け付けない構成としてもよく、あるいは、上記総未提供数量が上記所定値を超えた場合、上記注文そのものを受け付けない構成としてもよい。
【００１２】
本発明に係る注文システムでは、上記メニュー画面に注文可能数量を表示させる注文可能数量表示指示手段をさらに備えることが好ましい。
【００１３】
上記の構成によれば、ユーザは注文可能な数量を事前に把握できる。
【００１４】
ところで、上記注文システムは、ハードウェアで実現してもよいし、プログラムをコンピュータに実行させることによって実現してもよい。具体的には、本発明に係るプログラムは、上記いずれかの構成の各手段としてコンピュータを動作させるプログラムであり、本発明に係る記録媒体には、当該プログラムが記録されている。
【発明の効果】
【００１５】
本発明に係る注文システムは、以上のように、１つのオーダ用表示端末から注文がなされた場合、当該注文において注文された品の数量と、当該注文がなされたオーダ用表示端末から既に注文され、かつ未提供の品の数量との合計が所定値を超えないように注文数量を管理する注文数量管理手段を備えているので、特定のオーダ用表示端末からの多数の注文を有効に防止することができる注文システムを実現できるという効果を奏する。
【発明を実施するための最良の形態】
【００１６】
本発明の一実施形態について図１ないし図２２に基づいて説明すると以下の通りである。本実施形態では、本発明に係る注文システムを回転寿司店における注文処理に適用した例について説明する。
【００１７】
図２は、本実施形態に係る注文システム１全体の要部構成を示すブロック図である。注文システム１は、サーバ装置２、複数の表示端末３を備えており、これらはネットワーク４を介して互いに接続されている。ネットワーク４は、イーサネット（登録商標）などからなるローカルエリアネットワーク（ＬＡＮ）を含むような通信ネットワークである。表示端末３は、厨房エリアＫＡおよび飲食エリアＥＡに設けられ、以下の説明では便宜上、厨房エリアＫＡに設けられる表示端末３をキッチン用表示端末３ａとし、飲食エリアＥＡに設けられる表示端末３をオーダ用表示端末３ｂとする。
【００１８】
本実施形態では、サーバ装置２は、厨房エリアＫＡに設置される。なお、サーバ装置２は、厨房エリアＫＡから離れた事務室などに設けてもよい。オーダ用表示端末３ｂは、飲食エリアＥＡ内のカウンター席やテーブル席に設けられており、各オーダ用表示端末３ｂには、各席のテーブル番号が割り当てられている。
【００１９】
サーバ装置２は、表示端末３に表示するためのメニューデータを作成・編集する機能のほか、キッチン用表示端末３ａおよびオーダ用表示端末３ｂの注文処理状況を管理する機能を有する汎用のコンピュータである。なお、サーバ装置２は、上記機能を有する専用のコンピュータであってもよい。
【００２０】
表示端末３は、ＣＰＵなどの演算処理装置を備えたタッチパネルを備えた表示装置であり、サーバ装置２において作成されたメニューデータに基づいて、特有の操作機能および表示機能を実現する専用コンピュータである。キッチン用表示端末３ａには、各オーダ用表示端末３ｂからの注文状況を示す一覧表などが表示され、これにより提供担当者は、提供すべき飲食物を把握することができる。オーダ用表示端末３ｂには、メニューの映像などが表示され、回転寿司店の客は、オーダ用表示端末３ｂをタッチ操作することにより、所望のメニューを注文することができる。
【００２１】
続いて、サーバ装置２および表示端末３の構成について説明する。
【００２２】
図１は、サーバ装置２の構成を示すブロック図である。サーバ装置２は、通信処理部２１、操作受付部２２、メニューデータ作成・編集部２３、メニューデータ記憶部２４、注文数量管理部２５および注文可能数量表示指示部２６を備えている。
【００２３】
通信処理部２１は、キッチン用表示端末３ａ（以下、必要に応じてキッチン用表示端末をＫＴと表示する）およびオーダ用表示端末３ｂ（以下、必要に応じてオーダ用表示端末をＯＴと表示する）と通信するためのインターフェースである。操作受付部２２は、例えばユーザの操作を受け付けるための入力キーによって構成される。メニューデータ作成・編集部２３は、操作受付部２２において受け付けられた操作に基づいて、キッチン用表示端末３ａに表示するためのＫＴ用メニューデータ、および、オーダ用表示端末３ｂに表示するためのＯＴ用メニューデータを作成・編集する。これらのメニューデータは、メニューデータ記憶部２４に格納され、ネットワーク４を介して、キッチン用表示端末３ａおよびオーダ用表示端末３ｂに転送される。なお、メニューデータの転送は、ＣＦカード等で行ってもよい。
【００２４】
注文数量管理部２５は、１つのオーダ用表示端末３ｂからの注文数の合計を所定値以内とするように注文を制限する機能を有しており、注文数量記憶部２５１、上限値記憶部２５２、比較部２５３および選択取消部２５４を備えている。これらの機能ブロックの詳細は後述する。
【００２５】
図３は、表示端末３の構成を示すブロック図であり、表示端末３は、通信処理部３１、ディスプレイ３２、タッチパネル３３、記憶部３４およびＨＭＩ処理部３５を備えている。通信処理部３１は、サーバ装置２と通信するためのインターフェースである。ディスプレイ３２は、表示端末３を薄型に構成するために、液晶ディスプレイや、ＥＬディスプレイや、プラズマディスプレイのような平板型ディスプレイが好適に用いられる。タッチパネル３３は、ディスプレイ３２の表示画面上でタッチ入力を行うために設けられている入力装置である。
【００２６】
記憶部３４は、サーバ装置２から転送されたメニューデータを格納するメモリである。より具体的には、キッチン用表示端末３ａの記憶部３４には、ＫＴ用メニューデータが記憶され、オーダ用表示端末３ｂの記憶部３４には、ＯＴ用メニューデータが記憶される。ＨＭＩ処理部３５は、記憶部３４に記憶されたメニューデータに基づいてディスプレイ３２に画像を表示させたり、タッチパネル３３を介した操作に基づいて所定の注文処理をしたりする。
【００２７】
図４は、キッチン用表示端末３ａに表示される注文一覧画面の一例を示す図である。注文一覧画面には、注文を受け付けた時刻、メニューの種類、数量および注文のあったオーダ用表示端末３ｂが設けられている席のテーブル番号が表示され、さらに、各メニューに対応して消し込みのための「消込」ボタンが設けられている。
【００２８】
オーダ用表示端末３ｂにおいて注文が確定すると、注文一覧画面にはリアルタイムで注文内容が表示される。図４の注文一覧画面は、１１時４１分にテーブル番号５のオーダ用表示端末３ｂから「えび」１皿および「たい」３皿が注文され、１１時４２分にテーブル番号８のオーダ用表示端末３ｂから「はまち」２皿が注文されていることを示している。
【００２９】
提供担当者は、原則として注文時刻の早いメニューから提供し、メニューの提供が完了すると、提供が完了したメニューに対応する「消込」ボタンをタッチする。これにより、提供が完了したメニューは、注文一覧画面から削除される。
【００３０】
ここで、１つのオーダ用表示端末３ｂから多数の注文が可能であると、そのオーダ用表示端末３ｂから注文されたメニューの提供に時間がかかるため、その直後に他のオーダ用表示端末３ｂから注文を行っても、メニュー提供まで長時間待たされることになる。また、１度の注文における注文数量に制限を設けても、注文操作を何度も連続して行うことにより、１つのオーダ用表示端末３ｂからの多数の注文が可能となってしまう。
【００３１】
そこで、本実施形態に係る注文システム１では、１つのオーダ用表示端末３ｂから注文がなされた場合、当該注文において注文されたメニューの数量と、オーダ用表示端末３ｂから既に注文され、かつ未提供のメニューの数量との合計が所定値を超えないように注文数量を制限している。当該所定値を１０皿とする場合、１つのオーダ用表示端末３ｂからの１度の注文における上限は１０皿に制限されるだけでなく、例えば、１つのオーダ用表示端末３ｂから既に７皿注文され、かつそれらが未提供である場合、追加で注文可能な数量が３皿に制限される。
【００３２】
この制限機能は、図１に示すサーバ装置２の注文数量管理部２５によって実現されている。続いて、注文数量管理部２５の構成について説明する。
【００３３】
注文数量管理部２５は、注文数量記憶部２５１、上限値記憶部２５２、比較部２５３および選択取消部２５４を備えている。注文数量記憶部２５１は、各オーダ用表示端末３ｂからの注文数量を図５に示すようなテーブルに記憶する。当該テーブルにおける「総未提供数量」とは、対応するテーブル番号のオーダ用表示端末３ｂから注文され、かつ未提供のメニューの数量である注文済未提供数量と、注文確定前の注文予定数である注文予定数量とを加算したものである。すなわち、注文確定前であっても、オーダ用表示端末３ｂのメニューの数量選択画面においてメニューの数量を選択した時点で、当該数量は注文予定数量として注文数量記憶部２５１に記憶される。
【００３４】
上限値記憶部２５２は、１つのオーダ用表示端末３ｂから注文され、かつ未提供のメニューの数量（以下「未提供数量」）の上限値を記憶する。本実施形態では、当該上限値を「１０」としている。なお、上限値は操作受付部２２からの操作により、任意に設定可能となっている。
【００３５】
比較部２５３は、注文数量記憶部２５１が記憶する各テーブル番号の未提供数量と、上限値記憶部２５２が記憶する上限値とを比較する。あるオーダ用表示端末３ｂにおいて、未提供数量が上限値を超える注文がなされた場合、選択取消部２５４は、比較部２５３における比較結果に基づき、当該注文を受け付けないようにすることができる。
【００３６】
また、注文可能数量表示指示部２６は、比較部２５３での比較結果に基づき、上限値記憶部２５２が記憶する上限値と、注文数量記憶部２５１が記憶する各テーブル番号の未提供数量との差分を、各テーブル番号に対応するオーダ用表示端末３ｂに表示させる。これにより、客は注文可能な数量を事前に把握できる。
【００３７】
図６は、注文システム１における注文処理を示すフローチャートである。あるオーダ用表示端末３ｂにおいて注文操作がなされると（ステップＳ１）、注文数量記憶部２５１において注文済未提供数量に注文予定数量が加算されて総未提供数量が計算される（ステップＳ２）。続いて、比較部２５３は、総未提供数量と上限値記憶部２５２に記憶されている上限値とを比較し、総未提供数量が上限値を超えているかを判定する（ステップＳ３）。
【００３８】
その結果、総未提供数量が上限値を超えている場合（ステップＳ３においてＹＥＳ）、選択取消部２５４は、注文におけるメニューの選択を取り消して注文の受付を中止させ（ステップＳ４）、オーダ用表示端末３ｂに注文ができない旨を表示させる（ステップＳ５）。これにより、注文数量記憶部２５１に記憶されるテーブルでは、総未提供数量から当該注文操作における注文予定数量が差し引かれる（ステップＳ６）。
【００３９】
一方、総未提供数量が上限値以内である場合（ステップＳ３においてＮＯ）、注文はそのまま続行され、総未提供数量が注文済未提供数量となって注文が確定し（ステップＳ７）、キッチン用表示端末３ａの注文一覧画面に注文されたメニューを表示させる（ステップＳ８）。その後、メニューが提供され（ステップＳ９）、キッチン用表示端末３ａの注文一覧画面から提供したメニューの消し込みが行われると（ステップＳ１０）、未提供数量から提供した数量が減算される（ステップ１１）。
【００４０】
続いて、注文システム１における注文処理を、キッチン用表示端末３ａおよびオーダ用表示端末３ｂに表示される画面に基づいて説明する。なお以下では、テーブル番号１の座席に設けられたオーダ用表示端末３ｂを例に説明する。
【００４１】
新規の客がオーダ用表示端末３ｂのオープニング画面をタッチすると、図７に示すジャンル選択画面が表示される。ここで例えば、「にぎり」を選択すると、図８に示すように、にぎりのメニューを画像と共に表示するメニュー選択画面が表示される。
【００４２】
メニュー選択画面には、各メニューの種類および画像が表示されるメニュー表示欄Ａ１や、選択したメニューおよび数量が表示される選択メニュー一覧Ａ２が表示される。ここで、メニュー表示欄Ａ１から「はまち」をタッチすると、図９に示すメニュー数量入力画面が表示される。メニュー数量入力画面には、選択されたメニューの拡大画像が表示されるとともに、メニューの数量を選択するためのボタンＡ３が表示される。
【００４３】
さらに、メニュー数量入力画面には、図１に示すサーバ装置２の注文可能数量表示指示部２６により、現時点で注文可能な数量も表示される。本実施形態では、未提供数量の上限値が「１０」に制限されているので、図９に示すメニュー数量入力画面には、あと１０皿まで注文できる旨が表示される。ここで、３皿注文する場合、ボタンＡ３のうち「３」を選択して「決定」をタッチすると、図１０に示すように、メニュー選択画面に戻り、選択メニュー一覧Ａ２に、選択したメニューである「はまち」と選択した数量の「３」が表示される。
【００４４】
なお、この時点では注文が確定していないので、キッチン用表示端末３ａには、選択したメニューは表示されない。一方、図１に示すサーバ装置２の注文数量記憶部２５１には、選択した数量が注文予定数量として送信される。送信前には総未提供数量が０であり、かつ注文予定数量「３」は上限値内であるので、注文予定数量がそのまま注文済未提供数量かつ総未提供数量となる。したがって、図１１に示すように、注文数量記憶部２５１に記憶されるテーブルでは、テーブル番号１における総未提供数量が「３」となる。この時点での総未提供数量は上限値以内であるので、注文操作を引き続き行うことができる。
【００４５】
続いて、「えび」を注文する場合、図１０に示すメニュー選択画面において、メニュー表示欄Ａ１から「えび」をタッチすると、図１２に示すように、メニュー数量入力画面では、あと７皿まで注文できる旨表示される。ここで、４皿注文する場合、ボタンＡ３のうち「４」を選択して「決定」をタッチすると、図１３に示すように、メニュー選択画面の選択メニュー一覧Ａ２に、選択したメニューである「えび」と選択した数量の「４」が表示される。
【００４６】
この時点では、図１４に示すように、サーバ装置２の注文数量記憶部２５１に記憶されるテーブルでは、テーブル番号１における総未提供数量が「７」となる。そして、総未提供数量「７」は上限値内であるので、注文数量記憶部２５１に記憶されるテーブルでは、テーブル番号１における総未提供数量が「７」となる。
【００４７】
さらに、図１３に示すメニュー選択画面において、メニュー表示欄Ａ１から「とろ」をタッチすると、図１５に示すように、メニュー数量入力画面では、あと３皿まで注文できる旨表示される。ここで、ボタンＡ３のうち「５」を選択して「決定」をタッチすると、図１６に示すように、サーバ装置２の注文数量記憶部２５１に記憶されるテーブルではテーブル番号１における総未提供数量が「１２」となる。このとき、総未提供数量が、図１に示す上限値記憶部２５２に記憶される上限値「１０」を超えているため、選択取消部２５４は、図１７に示すような注文制限の確認画面をオーダ用表示端末３ｂに表示させる。注文制限の確認画面において「もどる」をタッチすると、図１３に示すメニュー選択画面に戻り、「とろ」の選択が取り消される。
【００４８】
なお、「とろ」の選択のみを取り消す代わりに、図７に示すジャンル選択画面に戻り、「とろ」の選択だけでなく、他の注文予定品目である「はまち」及び「えび」の選択も取り消す構成としてもよい。
【００４９】
また、総未提供数量が上限値を超えた数量分の注文を受け付けない構成としてもよい。すなわち、本実施形態では、上限値「１０」に対して総未提供数量が「１２」となっているので、超過数量である「２」を「とろ」の注文予定数量から差し引いて、自動的に「とろ」の注文予定数量を注文可能数量である３皿としてもよい。
【００５０】
図１３に示すメニュー選択画面において、「メニューを注文する」をタッチすると、「はまち」及び「えび」の注文が確定し、図１８に示すように、キッチン用表示端末３ａの注文一覧画面には、注文内容が追加される。なお、注文確定後は、図７に示すジャンル選択画面に戻る。
【００５１】
ここで、従来の注文システムでは、１度の注文における注文可能数量を制限しているのみであったため、メニューが提供される前であっても、次の注文操作において、１０皿まで注文することができた。これに対し、本実施形態に係る注文システム１では、特定のオーダ用表示端末からの注文による厨房の独占を防止するため、未提供のメニューの数量に応じて、次の注文操作における注文可能数量が設定されており、１度の注文におけるメニューの数量と、既に注文され、かつ未提供のメニューの数量との合計が１０皿に制限されている。
【００５２】
例えば、図１３に示すメニュー選択画面において注文を確定させた直後に、再度オーダ用表示端末３ｂから注文操作を行い、メニュー選択画面において「とろ」を選択した場合、図１９に示すように、メニュー数量入力画面では、注文可能数量が３皿である旨が表示される。ここで、ボタンＡ３のうち「５」を選択して「決定」をタッチしても、図２０に示すような注文制限の確認画面が表示され、「とろ」の選択は取り消される。
【００５３】
その後、厨房において「はまち」３皿の提供が完了し、キッチン用表示端末３ａの注文一覧画面において「はまち」の表示に対応する「消込」ボタンがタッチされると、図２１に示すように、注文一覧画面から「はまち」の表示が削除される。このとき、「えび」４皿は未提供であるので、注文数量記憶部２５１に記憶されるテーブルでは、図２２に示すように、テーブル番号１における総未提供数量（注文済未提供数）が「４」となる。この時点では、オーダ用表示端末３ｂから注文可能な数量は６皿となり、オーダ用表示端末３ｂには注文可能数量として６が表示される。
【００５４】
以上のように、本実施形態に係る注文システム１を適用することにより、従来では繰り返し注文を行うことによって可能であった特定のオーダ用表示端末からの多数の注文を有効に防止することができる。
【００５５】
なお、サーバ装置２の各ブロック、特に、選択取消部２５４および注文可能数量表示指示部２６は、ハードウェアロジックによって構成してもよいし、次のようにＣＰＵを用いてソフトウェアによって実現してもよい。
【００５６】
すなわち、サーバ装置２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるサーバ装置２の制御プログラムのプログラムコード（実行形式プログラム、中間コードプログラム、ソースプログラム）をコンピュータで読み取り可能に記録した記録媒体を、上記サーバ装置２に供給し、そのコンピュータ（またはＣＰＵやＭＰＵ）が記録媒体に記録されているプログラムコードを読み出し実行することによっても、達成可能である。
【００５７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００５８】
また、サーバ装置２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００５９】
〔実施形態の総括〕
上記実施形態では、本発明に係る注文システムを回転寿司店における注文処理に適用した例について説明したが、本発明の注文システムはファミリーレストランなど回転寿司店以外の飲食店に適用可能である。
【００６０】
上記実施形態では、注文数量を管理する機能や注文可能数量を表示させる機能を、注文システム１のサーバ装置２に、注文数量管理部２５や注文可能数量表示指示部２６を設けることで実現していたが、これに限定されず、これらの機能を、各オーダ用表示端末３ｂに持たせてもよい。
【００６１】
また、メニューの種類によっては、未提供数量にカウントしない構成としてもよい。例えば、ドリンク類は提供の必要がないため、多数の注文がなされても提供までの時間をあまり要しない。したがって、ドリンク類が注文されても、ドリンク類の数量は、図１に示す注文数量記憶部２５１に記憶されるテーブルの未提供数量に加算しなくてもよい。
【００６２】
さらに、図１に示す上限値記憶部２５２に記憶される上限値を、オーダ用表示端末３ｂ間で異なるように設定してもよい。例えば、テーブル席に設けられるオーダ用表示端末３ｂに対しては、上限値を大きく設定し、カウンター席に設けられるオーダ用表示端末３ｂに対しては、上限値を小さく設定してもよい。
【００６３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６４】
本発明は、飲食店における注文システムのほか、複数のオーダ用表示端末から商品を注文する注文システムであって、特定のオーダ用表示端末からの多量の注文を防止する必要がある注文システムにも好適である。
【図面の簡単な説明】
【００６５】
【図１】本発明の実施形態に係る注文システムのサーバ装置の構成を示すブロック図である。
【図２】本発明の実施形態に係る注文システム全体の要部構成を示すブロック図である。
【図３】上記注文システムの表示端末の構成を示すブロック図である。
【図４】上記表示端末のうち、キッチン用表示端末に表示される注文一覧画面の一例を示す図である。
【図５】上記サーバ装置の注文数量記憶部に記憶されるテーブルを示す図である。
【図６】上記注文システムにおける注文処理を示すフローチャートである。
【図７】上記オーダ用表示端末に表示されるジャンル選択画面の一例を示す図である。
【図８】上記オーダ用表示端末に表示されるメニュー選択画面の一例を示す図である。
【図９】上記オーダ用表示端末に表示されるメニュー数量入力画面の一例を示す図である。
【図１０】上記オーダ用表示端末に表示されるメニュー選択画面の一例を示す図である。
【図１１】上記サーバ装置の注文数量記憶部に記憶されるテーブルを示す図である。
【図１２】上記オーダ用表示端末に表示されるメニュー数量入力画面の一例を示す図である。
【図１３】上記オーダ用表示端末に表示されるメニュー選択画面の一例を示す図である。
【図１４】上記サーバ装置の注文数量記憶部に記憶されるテーブルを示す図である。
【図１５】上記オーダ用表示端末に表示されるメニュー数量入力画面の一例を示す図である。
【図１６】上記サーバ装置の注文数量記憶部に記憶されるテーブルを示す図である。
【図１７】上記オーダ用表示端末に表示される注文制限の確認画面の一例を示す図である。
【図１８】上記キッチン用表示端末に表示される注文一覧画面の一例を示す図である。
【図１９】上記オーダ用表示端末に表示されるメニュー数量入力画面の一例を示す図である。
【図２０】上記オーダ用表示端末に表示される注文制限の確認画面の一例を示す図である。
【図２１】上記キッチン用表示端末に表示される注文一覧画面の一例を示す図である。
【図２２】上記サーバ装置の注文数量記憶部に記憶されるテーブルを示す図である。
【符号の説明】
【００６６】
１      注文システム
２５    注文数量管理部（注文数量管理手段）
２６    注文可能数量表示指示部（注文可能数量表示指示手段）
３ｂ    オーダ用表示端末
３２    ディスプレイ（表示部）
３３    タッチパネル（入力部）
【図１】
0005154310.tif 000002
【図２】
0005154310.tif 000003
【図３】
0005154310.tif 000004
【図４】
0005154310.tif 000005
【図５】
0005154310.tif 000006
【図６】
0005154310.tif 000007
【図７】
0005154310.tif 000008
【図８】
0005154310.tif 000009
【図９】
0005154310.tif 000010
【図１０】
0005154310.tif 000011
【図１１】
0005154310.tif 000012
【図１２】
0005154310.tif 000013
【図１３】
0005154310.tif 000014
【図１４】
0005154310.tif 000015
【図１５】
0005154310.tif 000016
【図１６】
0005154310.tif 000017
【図１７】
0005154310.tif 000018
【図１８】
0005154310.tif 000019
【図１９】
0005154310.tif 000020
【図２０】
0005154310.tif 000021
【図２１】
0005154310.tif 000022
【図２２】
0005154310.tif 000023